(57)【要約】【課題】排水効率の向上を図る。【解決手段】水槽Ａは、後面壁１３（立壁）を有するボウル１０と、ボウル１０の底面１１に開口する排水口１５とを備え、平面視において、後面壁１３が、排水口１５に最も近い最近接部１７を境として第１反射領域１８Ｌと第２反射領域１８Ｒとに区画され、底面１１には、底面１１上の水流のうち第１反射領域１８Ｌで反射した第１水流Ｗｆを排水口１５へ誘導し、且つ第２反射領域１８Ｒで反射して排水口１５に向かう第２水流Ｗｓに抵抗を生じさせる調流部１９が設けられている。【選択図】図３
2019178504.tif 000002
【特許請求の範囲】
【請求項１】
立壁を有するボウルと、
前記ボウルの底面に開口する排水口とを備え、
平面視において、前記立壁が、前記排水口に最も近い最近接部を境として第１反射領域と第２反射領域とに区画され、
前記底面には、前記底面上の水流のうち前記第１反射領域で反射した第１水流を前記排水口へ誘導し、且つ前記第２反射領域で反射して前記排水口に向かう第２水流に抵抗を生じさせる調流部が設けられていることを特徴とする水槽。
【請求項２】
前記調流部が、前記排水口の外周縁のうち前記最近接部に最も近い最近接周縁部又はその近傍部から、前記第１反射領域と略平行に且つ前記第１反射領域側のみに延出した形態であることを特徴とする請求項１記載の水槽。
【請求項３】
前記調流部が、
前記第１反射領域で反射した前記第１水流を前記排水口へ誘導する誘導部と、
前記誘導部とは別の部位に配され、前記第２反射領域で反射して前記排水口に向かう前記第２水流に抵抗を生じさせる抵抗部とから構成されていることを特徴とする請求項１記載の水槽。
【請求項４】
前記底面における前記第２水流の流動経路に、複数の突部又は複数の凹部を散在させた形態の抵抗発生部が形成されていることを特徴とする請求項１ないし請求項３のいずれか１項に記載の水槽。
【発明の詳細な説明】
【技術分野】
【０００１】
本発明は、水槽に関する。
【背景技術】
【０００２】
特許文献１には、洗面ボウルの底面に排水口を開口させ、スパウトから洗面ボウル内へ吐出された水を、排水口から排水管へ排出するようにした洗面化粧台が開示されている。
【先行技術文献】
【特許文献】
【０００３】
【特許文献１】特許第６２１８１０４号公報
【発明の概要】
【発明が解決しようとする課題】
【０００４】
排水口における排水効率を高めるためには、排水口の周辺及び排水口に設けたヘアキャッチャー上で水を旋回させ、排水口に流入する水の流速を高めることが望ましい。しかし、平面視におけるスパウトと排水口の位置関係によっては、スパウトから吐出した水が、旋回流にならいことがある。
【０００５】
本発明は、上記従来の実情に鑑みてなされたものであって、排水効率の向上を図ることを解決すべき課題としている。
【課題を解決するための手段】
【０００６】
本発明は、
立壁を有するボウルと、
前記ボウルの底面に開口する排水口とを備え、
平面視において、前記立壁が、前記排水口に最も近い最近接部を境として第１反射領域と第２反射領域とに区画され、
前記底面には、前記底面上の水流のうち前記第１反射領域で反射した第１水流を前記排水口へ誘導し、且つ前記第２反射領域で反射して前記排水口に向かう第２水流に抵抗を生じさせる調流部が設けられていることを特徴とする。
【発明の効果】
【０００７】
底面上の水流のうち第１反射領域で反射した第１水流は、調流部によって排水口へ誘導されるので、流速が速い。これに対し、底面上の水流のうち第２反射領域で反射して排水口に向かう第２水流は、調流部による抵抗を受けるので、流速が遅い。平面視におけるスパウトと排水口の位置関係に拘わらず、排水口の周囲には、流速の異なる第１水流と第２水流によって一方向の旋回流が生成されるので、排水効率が高い。
【図面の簡単な説明】
【０００８】
【図１】実施例１の水槽の斜視図
【図２】水槽の平面図
【図３】水槽における第１水流と第２水流の流動経路をあらわす平面図
【図４】実施例２の水槽における調流部と第１水流と第２水流の流動経路をあらわす平面図
【図５】実施例３の水槽における調流部と第１水流と第２水流の流動経路をあらわす平面図
【図６】実施例４の水槽における調流部と第１水流と第２水流の流動経路をあらわす平面図
【発明を実施するための形態】
【０００９】
本発明は、前記調流部が、前記排水口の外周縁のうち前記最近接部に最も近い最近接周縁部又はその近傍部から、前記第１反射領域と略平行に且つ前記第１反射領域側のみに延出した形態であってもよい。この構成によれば、調流部の平面視形状が単純化することができる。
【００１０】
本発明は、前記底面における前記第２水流の流動経路に、複数の突部又は複数の凹部を散在させた形態の抵抗発生部が形成されていてもよい。この構成によれば、第２水流を、調流部だけでなく抵抗発生部によっても減速させることができる。これにより、第１水流と第２水流の速度差が大きくなるので、旋回流の流速が速くなり、排水効率が更に向上する。
【００１１】
本発明は、前記調流部が、前記第１反射領域で反射した前記第１水流を前記排水口へ誘導する誘導部と、前記誘導部とは別の部位に配され、前記第２反射領域で反射して前記排水口に向かう前記第２水流に抵抗を生じさせる抵抗部とから構成されていてもよい。この構成によれば、誘導部と抵抗部の形状、大きさ、配置等を個別に設定できるので、調流部の機能を向上させることができる。
【００１２】
＜実施例１＞
以下、本発明を具体化した実施例１を図１〜図３を参照して説明する。尚、以下の説明において、前後の方向については、図２，３における下方を前方と定義する。左右の方向については、図２，３にあらわれる向きを、そのまま左方、右方と定義する。
【００１３】
本実施例１の水槽Ａは、洗面化粧台を構成するものであり、上面が開放されたボウル１０を有する。ボウル１０は、正面視形状が下方へ膨らむように弧状に湾曲した底面１１と、底面１１の前端縁（周縁）から鉛直方向上方へ立ち上がる前面壁１２と、底面１１の後端縁（周縁）から鉛直方向上方へ立ち上がる後面壁１３（請求項に記載の立壁）とを有する。洗面化粧台には、水槽Ａの上方から水槽Ａ内に水を吐出させるスパウト１４が設けられている。平面視において、スパウト１４は、水槽Ａ（底面１１）の左右方向における中央部であり、且つ水槽Ａ（底面１１）の前後方向における後端（後面壁１３）より少し前方の位置に配されている。
【００１４】
底面１１には、平面視円形をなす排水口１５が設けられている。排水口１５には、水槽Ａの下方に配索された排水管（図示省略）の上端部（上流端部）が接続されている。平面視において、排水口１５は、水槽Ａ（底面１１）の左右方向における中央部であり、且つ水槽Ａ（底面１１）の前後方向における後端（後面壁１３）より少し前方の位置に配されている。
【００１５】
排水口１５には、ヘアキャッチャー１６が取り付けられている。ヘアキャッチャー１６は、排水口１５より一回り小さい平面視円形の部材であり、排水口１５の開口領域の大部分を閉塞するように配されている。排水口１５の開口縁とヘアキャッチャー１６の外周縁との間には、底面１１上を流れる水を排水管へ排出させるための隙間Ｓ（図１を参照）が設けられている。ヘアキャッチャー１６の上面は、底面１１のうち排水口１５の周縁部と概ね同じ高さとされている。
【００１６】
平面視において、後面壁１３のうち排水口１５に最も近い部位は、最近接部１７として設定されている。平面視において、後面壁１３のうち最近接部１７より左側の領域は第１反射領域１８Ｌとして設定され、後面壁１３のうち最近接部１７より右側の領域は第２反射領域１８Ｒとして設定されている。
【００１７】
底面１１には、スパウト１４から底面１１上に吐出された水を、排水口１５の周囲において旋回流Ｗｒとして流動させるための調流部１９が形成されている。調流部１９は、底面１１の一部を上方へリブ状に突出させた形態である。調流部１９は、排水口１５の外周縁のうち最近接部１７に最も近い最近接周縁部２０から、第１反射領域１８Ｌと略平行に且つ第１反射領域１８Ｌ側のみ（左方向のみ）にリブ状に延出した形態である。調流部１９のうち後面壁１３とは反対側の前縁部は、第１水流Ｗｆを排水口１５へ誘導するための誘導部２１として機能する。調流部１９のうち後面壁１３と対向する後縁部は、第２水流Ｗｓに流動抵抗を生じさせるための抵抗部２２として機能する。
【００１８】
次に、本実施例１の作用及び効果を説明する。スパウト１４から水槽Ａに吐出されて底面１１のうち排水口１５より左方の領域を流れる水の一部は、後面壁１３の第１反射領域１８Ｌで斜め右前方へ反射して排水口１５に向かう第１水流Ｗｆとなる。この斜め右前方に流れる第１水流Ｗｆは、調流部１９の誘導部２１（調流部１９のうち第１反射領域１８Ｌとは反対側の縁部）に沿うことにより、排水口１５の最近接周縁部２０の左方近傍と、ヘアキャッチャー１６の上面における後端部を通過する。つまり、第１水流Ｗｆは、排水口１５の開口縁部の近傍を概ね接線方向に沿った経路で流れる。
【００１９】
また、底面１１上において排水口１５より右方の領域を流れる水の一部は、後面壁１３の第２反射領域１８Ｒで斜め左前方へ反射して排水口１５に向かう第２水流Ｗｓとなる。この斜め左前方に流れる第２水流Ｗｓは、調流部１９の抵抗部２２（調流部１９のうち第１反射領域１８Ｌと対向する縁部）において流動抵抗を受けるので、流速が低下する。また、第１反射領域１８Ｌで反射した第１水流Ｗｆの一部が、調流部１９と後面壁１３との間（第２水流Ｗｓの流動経路）に向かって流れ込むため、第２水流Ｗｓは、第１水流Ｗｆと衝突することによっても減速し、第１水流Ｗｆよりも流速が遅くなる。
【００２０】
減速された第２水流Ｗｓが排水口１５に流れ込んでも、第１水流Ｗｆの流れが第２水流Ｗｓによって大きな影響を受けることはない。また、調流部１９より左方（第１反射領域１８Ｌ側）では、第１水流Ｗｆと第２水流Ｗｓの流れの向きは概ね逆向きとなるのであるが、流速の低い第２水流Ｗｓは、第１水流Ｗｆと合流して排水口１５の開口縁部の近傍を概ね接線方向に沿った経路で流れる。
【００２１】
この第１水流Ｗｆ及び第２水流Ｗｓの流れにより、底面１１のうち排水口１５の周囲には平面視が時計回り方向の旋回流Ｗｒが生成される。旋回流Ｗｒが生成されると、第１水流Ｗｆや第２水流Ｗｓとは異なる経路で排水口１５に向かう他の水流も旋回流Ｗｒに合流し、強い流れとなる。これにより、排水口１５とヘアキャッチャー１６との間の隙間Ｓにおける排水が円滑に行われる。
【００２２】
上述のように、本実施例１の水槽Ａは、底面１１の周縁から後面壁１３を立ち上げた形態のボウル１０と、底面１１に開口する排水口１５とを備えている。平面視において、後面壁１３は、排水口１５に最も近い最近接部１７を境として第１反射領域１８Ｌと第２反射領域１８Ｒとに区画されている。そして、底面１１には、底面１１上の水流のうち第１反射領域１８Ｌで反射した第１水流Ｗｆを排水口１５へ誘導し、且つ第２反射領域１８Ｒで反射して排水口１５に向かう第２水流Ｗｓに抵抗を生じさせる調流部１９が設けられている。
【００２３】
この構成によれば、底面１１上の水流のうち第１反射領域１８Ｌで反射した第１水流Ｗｆは、調流部１９によって排水口１５へ誘導されるので、流速が速い。これに対し、底面１１上の水流のうち第２反射領域１８Ｒで反射して排水口１５に向かう第２水流Ｗｓは、調流部１９による抵抗を受けるので、流速が遅い。したがって、平面視におけるスパウト１４と排水口１５の位置関係に拘わらず、排水口１５の周囲には、流速の異なる第１水流Ｗｆと第２水流Ｗｓによって一方向（平面視における時計回り方向）の旋回流Ｗｒが生成されるので、排水効率が高い。
【００２４】
また、調流部１９は、排水口１５の外周縁のうち最近接部１７に最も近い最近接周縁部２０から、第１反射領域１８Ｌと略平行に且つ第１反射領域１８Ｌ側のみに延出した形態である。調流部１９には、第１反射領域１８Ｌで反射した第１水流Ｗｆを排水口１５へ誘導する誘導部２１と、第２反射領域１８Ｒで反射して排水口１５に向かう第２水流Ｗｓに抵抗を生じさせる抵抗部２２とが一体に形成されているので、調流部１９の平面視形状が単純化されている。
【００２５】
＜実施例２＞
次に、本発明を具体化した実施例２を図４を参照して説明する。本実施例２の水槽Ｂは、ボウル１０の底面１１に、第２水流Ｗｓに流動抵抗を付与するための抵抗発生部２３を形成したものである。抵抗発生部２３は、底面１１における第２水流Ｗｓの流動経路に配され、複数の突起２４を散在させた形態である。１つの突起２４は、例えば、半円球状や円柱状をなす。抵抗発生部２３は、第２水流Ｗｓの流動経路のうち調流部１９の抵抗部２２よりも上流側のみに配されている。換言すると、抵抗発生部２３は、底面１１のうち調流部１９と後面壁１３の第２反射領域１８Ｒとの間のみに配されている。
【００２６】
この構成によれば、第２水流Ｗｓを、調流部１９だけでなく抵抗発生部２３によっても減速させることができる。これにより、第１水流Ｗｆと第２水流Ｗｓの速度差が大きくなるので、旋回流Ｗｒの流速が速くなり、排水効率が更に向上する。尚、その他の構成については上記実施例１と同じであるため、同じ構成については、同一符号を付し、構造、作用及び効果の説明は省略する。
【００２７】
＜実施例３＞
次に、本発明を具体化した実施例３を図５を参照して説明する。本実施例３の水槽Ｃは、実施例２の水槽Ｂと同様、底面１１に、第２水流Ｗｓに流動抵抗を付与するための抵抗発生部２５を形成したものである。抵抗発生部２５は、複数の突起２６を散在させた形態である。１つの突起２６は、例えば、半円球状や円柱状をなす。実施例３の突起２６の平面視の面積（大きさ）は実施例２の突起２４よりも小さいが、実施例３において１つの抵抗発生部２５を構成する突起２６の数は、実施例２の抵抗発生部２３を構成する突起２４の数よりも多い。
【００２８】
本実施例３の抵抗発生部２５も、実施例２の抵抗発生部２３と同様、第２水流Ｗｓの流動経路のうち調流部１９の抵抗部２２よりも上流側のみ（底面１１のうち調流部１９と第２反射領域１８Ｒとの間のみ）に配されている。この構成によれば、第２水流Ｗｓを、調流部１９だけでなく抵抗発生部２５によっても減速させることができる。これにより、第１水流Ｗｆと第２水流Ｗｓの速度差が大きくなるので、旋回流Ｗｒの流速が速くなり、排水効率が更に向上する。尚、その他の構成については上記実施例１及び実施例２と同じであるため、同じ構成については、同一符号を付し、構造、作用及び効果の説明は省略する。
【００２９】
＜実施例４＞
次に、本発明を具体化した実施例４を図６を参照して説明する。本実施例４の水槽Ｄは、調流部２７を上記実施例１〜３とは異なる構成としたものである。本実施例４の調流部２７は、ボウル１０の底面１１に一体に形成され、第１反射領域１８Ｌで反射した第１水流Ｗｆを排水口１５へ誘導するための誘導部２８と、誘導部２８とは別の部位に配され、第２反射領域１８Ｒで反射して排水口１５に向かう第２水流Ｗｓに抵抗を生じさせるための抵抗部２９とから構成されている。
【００３０】
平面視において、誘導部２８は、排水口１５の外周縁のうち後面壁１３（請求項に記載の立壁）の最近接部１７に最も近い最近接周縁部２０の近傍位置から、斜め左後方へ第１反射領域１８Ｌに接近するように細長く延びた形態である。抵抗部２９は、排水口１５の最近接周縁部２０の近傍であって、誘導部２８の右端より右方の位置から第２反射領域１８Ｒと概ね平行に右方へ細長く延びた形態である。
【００３１】
本実施例４の水槽Ｄによれば、誘導部２８と抵抗部２９の形状、大きさ、配置等を個別に設定できるので、調流部２７における誘導部２８の機能向上と抵抗部２９の機能向上を両立させることができる。尚、その他の構成については上記実施例１〜３と同じであるため、同じ構成については、同一符号を付し、構造、作用及び効果の説明は省略する。
【００３２】
＜他の実施例＞
本発明は上記記述及び図面によって説明した実施例に限定されるものではなく、例えば次のような実施例も本発明の技術的範囲に含まれる。
（１）上記実施例１〜４では、水槽が洗面化粧台の洗面ボウルである場合について説明したが、本発明は、台所のシンクや浴槽等にも適用できる。
（２）上記実施例１〜４では、排水口の周囲に平面視において時計回り方向の旋回流が生成されるようにしたが、平面視において時計回り方向の旋回流が生成されるようにしてもよい。
（３）上記実施例１〜４では、調流部をボウルの底面に一体に形成したが、調流部は、ボウルとは別体の部材を底面に固着したものであってもよい。
（４）上記実施例１〜３では、調流部を、排水口の外周縁のうち最近接部に最も近い最近接周縁部から延出する形態としたが、調流部は、排水口の外周縁のうち最近接周縁部の近傍位置から延出する形態としてもよい。
（５）上記実施例２，３では、第２水流を減速させるための抵抗発生部を、底面上に形成したが、抵抗発生部を調流部に形成してもよい。
（６）上記実施例２，３では、第２水流を減速させるための抵抗発生部を、第２水流の流動経路のうち抵抗部よりも上流側のみに配したが、抵抗発生部は、第２水流の流動経路のうち抵抗部よりも下流側のみに配してもよく、抵抗部より上流側と抵抗部より下流側の両方に配してもよい。
（７）上記実施例４に、第２水流を減速させるための抵抗発生部を設けてもよい。この場合、抵抗発生部は、第２水流の流動経路のうち抵抗部よりも上流側のみに配してもよく、第２水流の流動経路のうち抵抗部よりも下流側のみに配してもよく、抵抗部より上流側と抵抗部より下流側の両方に配してもよい。
（８）上記実施例１〜４では、ボウルの後面壁（立壁）が底面から鉛直方向に立ち上がる形態であるが、ボウルの後面壁（立壁）は、底面から鉛直方向に対して斜め方向に立ち上がる形態であってもよい。
【符号の説明】
【００３３】
Ａ，Ｂ，Ｃ，Ｄ…水槽
Ｗｆ…第１水流
Ｗｓ…第２水流
１０…ボウル
１１…底面
１３…後面壁（立壁）
１５…排水口
１７…最近接部
１８Ｌ…第１反射領域
１８Ｒ…第２反射領域
１９，２７…調流部
２０…最近接周縁部
２１，２８…誘導部
２２，２９…抵抗部
２３，２５…抵抗発生部
【図１】
2019178504.tif 000003
【図２】
2019178504.tif 000004
【図３】
2019178504.tif 000005
【図４】
2019178504.tif 000006
【図５】
2019178504.tif 000007
【図６】
2019178504.tif 000008